(57)【要約】【課題】ラジオ放送に付加されたＵＲＬ情報が自動で抽出され、このラジオ放送の放送局との関係を考慮してＵＲＬ情報を選択することができるラジオ受信機を提供する。【解決手段】現在受信中のラジオ放送に付加されたＵＲＬ情報のＵＲＬリストを生成して、このラジオ放送の放送局名とともに表示部３に表示する。そして、表示部３に表示されたＵＲＬリストのうち、選択操作されたＵＲＬ情報へのアクセス処理を行う。【選択図】図１
2015226096.tif 000002
【特許請求の範囲】
【請求項１】
ラジオ放送を受信する放送受信部と、
前記放送受信部により受信されているラジオ放送に付加されたテキスト情報を抽出するテキスト情報抽出部と、
前記テキスト情報からＵＲＬ情報を抽出するＵＲＬ抽出部と、
前記ＵＲＬ抽出部により抽出されたＵＲＬ情報をラジオ放送の放送局に対応付けて記憶する記憶部と、
前記記憶部に記憶されたＵＲＬ情報に基づいて、前記放送受信部により受信されているラジオ放送に付加されたＵＲＬ情報のリストを生成するリスト生成部と、
前記放送受信部に受信されているラジオ放送の放送局名とこのラジオ放送に付加されたＵＲＬ情報のリストとを表示部に表示する表示制御部と、
前記表示部に表示されたリストのＵＲＬ情報に対する選択操作を受け付けて、選択操作されたＵＲＬ情報へのアクセス処理を行うアクセス処理部とを備えるラジオ受信機。
【請求項２】
前記リスト生成部は、前記記憶部に放送局ごとに記憶されたＵＲＬ情報に基づいて放送局ごとのＵＲＬ情報のリストを生成し、
前記表示制御部は、放送局名ごとのＵＲＬ情報のリストを前記表示部に表示することを特徴とする請求項１記載のラジオ受信機。
【請求項３】
前記アクセス処理部は、ＵＲＬ情報にアクセスしてアクセス先の情報を前記記憶部に予め記憶しておき、選択操作されたＵＲＬ情報へアクセスする際に、最初に前記記憶部に予め記憶しておいた前記アクセス先の情報を提示することを特徴とする請求項１または請求項２記載のラジオ受信機。
【請求項４】
前記アクセス処理部は、ウェブブラウザを用いてＵＲＬ情報にアクセスすることを特徴とする請求項１から請求項３のうちのいずれか１項記載のラジオ受信機。
【請求項５】
前記アクセス処理部は、外部機器に通信接続して、前記外部機器を介してＵＲＬ情報にアクセスすることを特徴とする請求項１から請求項３のうちのいずれか１項記載のラジオ受信機。
【発明の詳細な説明】
【技術分野】
【０００１】
この発明は、ラジオ放送を受信するラジオ受信機に係り、特にラジオ放送に付加されたテキスト情報を提示する機能を有したラジオ受信機に関する。
【背景技術】
【０００２】
欧州を始めとした多くの国のラジオ放送サービスでは、ラジオ放送にテキスト情報を付加して送信している。例えば、ラジオデータシステム（ＲＤＳ）は、アナログＦＭ放送に放送中の楽曲の曲名などのテキスト情報（ラジオテキスト）を付加している。
ラジオ受信機は、上述のラジオ放送を受信すると、その受信信号からラジオテキストを抽出して画面表示する。なお、このラジオテキストには、放送局や放送中のコンテンツのウェブページのＵＲＬ情報が含まれる場合がある。
【０００３】
また、特許文献１には、ラジオ放送に付加されたＵＲＬ情報を抽出してウェブアクセスを行う放送受信機が開示されている。この放送受信機は、抽出されたＵＲＬ情報のウェブページにブラウザでアクセスすることができる。
【先行技術文献】
【特許文献】
【０００４】
【特許文献１】特表２００４−５０３１２９号公報
【発明の概要】
【発明が解決しようとする課題】
【０００５】
従来のラジオ受信機は、一般的にテキスト情報を表示する機能しか有していないため、ラジオ放送波から抽出したテキスト情報のＵＲＬ情報をそのままテキスト形式で表示していた。このため、表示されたＵＲＬ情報のウェブページにアクセスするには、ユーザが、ＵＲＬ情報を書き留めて、ブラウザ機能を有する別の通信機器に設定する必要があった。
【０００６】
また、特許文献１の発明では、ラジオ放送からＵＲＬ情報が自動で抽出されるが、このＵＲＬ情報がどの放送局から送信されたＵＲＬ情報であるのか明確でないため、ユーザが放送局との関係を考慮してＵＲＬ情報を選択することができず、利便性が悪い。
【０００７】
この発明は上記のような課題を解決するためになされたもので、ラジオ放送に付加されたＵＲＬ情報が自動で抽出され、このラジオ放送の放送局との関係を考慮してＵＲＬ情報を選択することができるラジオ受信機を得ることを目的とする。
【課題を解決するための手段】
【０００８】
この発明に係るラジオ受信機は、ラジオ放送を受信する放送受信部と、放送受信部により受信されているラジオ放送に付加されたテキスト情報を抽出するテキスト情報抽出部と、テキスト情報からＵＲＬ情報を抽出するＵＲＬ抽出部と、ＵＲＬ抽出部により抽出されたＵＲＬ情報をラジオ放送の放送局に対応付けて記憶する記憶部と、記憶部に記憶されたＵＲＬ情報に基づいて、放送受信部により受信されているラジオ放送に付加されたＵＲＬ情報のリストを生成するリスト生成部と、放送受信部に受信されているラジオ放送の放送局名とこのラジオ放送に付加されたＵＲＬ情報のリストとを表示部に表示する表示制御部と、表示部に表示されたリストのＵＲＬ情報に対する選択操作を受け付けて、選択操作されたＵＲＬ情報へのアクセス処理を行うアクセス処理部とを備える。
【発明の効果】
【０００９】
この発明によれば、ラジオ放送に付加されたＵＲＬ情報が自動で抽出され、このラジオ放送のラジオ番組との関係を考慮してＵＲＬ情報を選択することができるという効果がある。
【図面の簡単な説明】
【００１０】
【図１】この発明の実施の形態１に係る放送受信機の構成を示すブロック図である。
【図２】実施の形態１における画面表示の一例を示す図である。
【図３】実施の形態１に係る放送受信機の動作を示すフローチャートである。
【図４】この発明の実施の形態２に係る放送受信機の構成を示すブロック図である。
【図５】この発明の実施の形態３に係る放送受信機の構成を示すブロック図である。
【図６】実施の形態３における画面表示の一例を示す図である。
【図７】実施の形態３に係る放送受信機の動作を示すフローチャートである。
【発明を実施するための形態】
【００１１】
実施の形態１．
図１は、この発明の実施の形態１に係る放送受信機の構成を示すブロック図である。
図１に示すラジオ受信機１は、車両などの移動体に搭載または持ち込まれ、アンテナ２を介してラジオ放送を受信するラジオ受信機であって、ラジオ放送に付加されたテキスト情報を表示する表示部３およびユーザの選局操作を受け付ける入力部４が接続している。
また、ラジオ受信機１は、その機能構成として、放送受信部１０、テキスト情報抽出部１１、ＵＲＬ抽出部１２、記憶部１３、リスト生成部１４、ウェブアクセス部１５および表示制御部１６を備える。
【００１２】
放送受信部１０は、アンテナ２を介してラジオ放送を受信する。なお、放送受信部１０には、不図示のチューナ部および復調部が含まれる。ここで、チューナ部は、アンテナ２を介して受信されたラジオ放送（例えば、ＦＭ放送）から選局周波数の信号を抽出して、中間周波信号（ＩＦ信号）へ変換する。復調部は、チューナ部により変換されたＩＦ信号を復調してラジオ放送信号とデータ放送信号とに分離する。
【００１３】
テキスト情報抽出部１１は、放送受信部１０により受信されているラジオ放送に付加されたテキスト情報を抽出する。例えば、テキスト情報抽出部１１は、上記復調部からのデータ放送の復調信号を復号してテキスト情報を抽出する。
ＵＲＬ抽出部１２は、テキスト情報抽出部１１により抽出されたテキスト情報からＵＲＬ情報を抽出する。例えば、テキスト情報内に、“ｈｔｔｐ：／／”などのＵＲＬを示す文字列を検索してＵＲＬ情報を特定する。
【００１４】
記憶部１３は、ＵＲＬ抽出部１２により抽出されたＵＲＬ情報をラジオ放送の放送局に対応付けて記憶する。例えば、ラジオ放送の放送局名（ＰＳ−ｎａｍｅ）に対応付けて、このラジオ放送から抽出されたＵＲＬ情報が記憶される。
リスト生成部１４は、記憶部１３に記憶されたＵＲＬ情報に基づいて、放送受信部１０により受信されているラジオ放送に付加されたＵＲＬ情報のリスト（以下、ＵＲＬリストと記載する）を生成する。例えば、リスト生成部１４は、ＵＲＬ抽出部１２により新たに抽出されたＵＲＬ情報が最上位になるようにリストアップする。
【００１５】
ウェブアクセス部１５は、ラジオ受信機１が備えるウェブブラウザを用いてＵＲＬ情報にアクセスするアクセス処理部である。例えば、ＵＲＬ情報のリストから、ユーザ選択されたＵＲＬ情報を読み込んでウェブアクセスする。
表示制御部１６は、放送受信部１０により受信されているラジオ放送の放送局名とこのラジオ放送に付加されたＵＲＬ情報のＵＲＬリストとを表示部３に表示する。
【００１６】
図２は、実施の形態１における画面表示の一例を示す図であり、ラジオ受信機１により表示部３に表示されるラジオ受信画面３Ａを示している。
ラジオ受信画面３Ａには、放送受信部１０が受信している受信周波数と放送局名が表示される放送局情報３Ａ−１、このラジオ放送に付加されたテキスト情報のテキスト情報表示欄３Ａ−２、このテキスト情報から抽出されたＵＲＬ情報のＵＲＬリスト３Ａ−３が表示される。
【００１７】
ＵＲＬリスト３Ａ−３のＵＲＬ情報は、図２に示すように、図１に示した入力部４から操作可能なカーソル３Ａ−４でそれぞれ選択することが可能である。
このようにＵＲＬリストと放送局名を合わせて表示することで、ユーザは、このラジオ放送の放送局との関係を考慮してＵＲＬ情報を選択することができる。
【００１８】
カーソル３Ａ−４でＵＲＬ情報を選択した状態で“Ｃｈｅｃｋ  ＵＲＬ”ボタン３Ａ−５を押下することにより、そのＵＲＬ情報のウェブページにアクセスすることができる。
すなわち、ウェブアクセス部１５は、ＵＲＬリスト３Ａ−３の中からカーソル３Ａ−４で選択されたＵＲＬ情報を読み出してウェブブラウザに設定し、ウェブブラウザを介してＵＲＬ情報のウェブページにアクセスする。
このように、本発明では、ユーザがＵＲＬ情報を書き留めて、ブラウザ機能を有する別の通信機器に設定する必要がなく、簡単な画面操作で容易にＵＲＬ情報のウェブページにアクセスすることが可能である。
【００１９】
次に動作について説明する。
図３は、実施の形態１に係る放送受信機の動作を示すフローチャートであって、図２の画面を表示する処理の流れを示している。
まず、テキスト情報抽出部１１が、放送受信部１０によって現在受信されているラジオ放送に付加されたテキスト情報を抽出する（ステップＳＴ１）。
【００２０】
次に、ＵＲＬ抽出部１２が、テキスト情報抽出部１１によって抽出されたテキスト情報の中からＵＲＬ情報を検索する。テキスト情報にＵＲＬ情報が含まれている場合（ステップＳＴ２；ＹＥＳ）、ＵＲＬ抽出部１２は、テキスト情報からＵＲＬ情報を抽出して記憶部１３に一時保存する（ステップＳＴ３）。
テキスト情報にＵＲＬ情報が含まれていない場合（ステップＳＴ２；ＮＯ）、表示制御部１６は、放送受信部１０が選局している受信周波数、およびテキスト情報抽出部１１により抽出されたテキスト情報（放送局名を含む）に基づいて、受信画面データを生成して表示部３に表示する（ステップＳＴ１０）。このときの受信画面は、図２に示したラジオ受信画面３Ａのうち、ＵＲＬリスト３Ａ−３がない画面となる。
【００２１】
リスト生成部１４は、記憶部１３に保存されたＵＲＬ情報に基づいて、ＵＲＬリストを生成する（ステップＳＴ４）。このとき、リスト生成部１４は、ＵＲＬリストとして表示可能なＵＲＬ数を確認する（ステップＳＴ５）。すなわち、ＵＲＬリストにおけるＵＲＬ情報の数が、ＵＲＬリストとして表示可能なＵＲＬ数の最大値に到達したか否かが確認される。
【００２２】
ＵＲＬリストにおけるＵＲＬ情報の数がＵＲＬリストとして表示可能なＵＲＬ数の最大値に到達した場合（ステップＳＴ５；ＵＲＬ数の最大値である）、リスト生成部１４は、ＵＲＬリスト中で最も古い時間に抽出されたＵＲＬ情報を削除（ステップＳＴ６）して、新たに抽出されたＵＲＬ情報をＵＲＬリストの最上位に追加する（ステップＳＴ７）。
【００２３】
一方、ＵＲＬリストにおけるＵＲＬ情報の数がＵＲＬリストとして表示可能なＵＲＬ数の最大値未満であれば（ステップＳＴ５；ＵＲＬ数の最大値未満である）、リスト生成部１４は、ステップＳＴ７において、新たに抽出されたＵＲＬ情報をＵＲＬリストの最上位に追加する。このように、本発明におけるＵＲＬリストは、新たに抽出されたＵＲＬ情報が常に最上位になるようリストアップされるので、ユーザは新たに通知されたＵＲＬ情報を選択しやすくなっている。
【００２４】
なお、ＵＲＬリストに既にリストアップされたＵＲＬ情報と同一のＵＲＬ情報が新たに抽出された場合、リスト生成部１４は、新たに抽出されたＵＲＬ情報を削除するか、もしくはＵＲＬリストの最上位に追加する。
【００２５】
次に、ウェブアクセス部１５は、ＵＲＬリストにおける各ＵＲＬ情報のウェブページにアクセス（ステップＳＴ８）し、アクセス先の情報としてＵＲＬ情報ごとのウェブページ画面情報を取得してリスト生成部１４に出力する。リスト生成部１４は、ウェブアクセス部１５により取得されたアクセス先の情報を、ＵＲＬリストの各ＵＲＬ情報に対応付けて記憶部１３に一時保存する（ステップＳＴ９）。
【００２６】
続いて、表示制御部１６は、放送受信部１０が選局している受信周波数、テキスト情報抽出部１１により抽出されたテキスト情報（放送局名を含む）、およびリスト生成部１４により生成されたＵＲＬリストに基づいて、受信画面データを生成し表示部３に表示する（ステップＳＴ１０）。これにより、図２に示したラジオ受信画面３Ａが表示部３に表示される。
【００２７】
なお、ＵＲＬリスト３Ａ−３を表示部３に表示する際に、上述した表示可能なＵＲＬ数の最大値分のＵＲＬ情報を表示してもよいが、放送局情報３Ａ−１およびテキスト情報表示欄３Ａ−２の表示スペースを考慮して上記最大値未満の予め定められた数のＵＲＬ情報を上位のものから表示してもよい。
【００２８】
また図２に示したラジオ受信画面３Ａにおいて、カーソル３Ａ−４でＵＲＬ情報を選択した状態で“Ｃｈｅｃｋ  ＵＲＬ”ボタン３Ａ−５が押下された場合（ＵＲＬ情報の初回選択時）に、ウェブアクセス部１５は、このＵＲＬ情報にアクセスする前に、リスト生成部１４に指示して記憶部１３に保存しておいたそのＵＲＬ情報のウェブページ画面情報を取得して表示制御部１６に出力する。表示制御部１６は、ウェブアクセス部１５から入力したウェブページ画面情報を表示部３に表示する。このようにすることで、走行中の車両内のように通信状態が安定しない環境であっても、ユーザが選択したＵＲＬ情報のウェブページ画面を的確に提示することが可能となる。
【００２９】
以上のように、この実施の形態１によれば、テキスト情報抽出部１１が、放送受信部１０により受信されているラジオ放送に付加されたテキスト情報を抽出する。ＵＲＬ抽出部１２は、テキスト情報抽出部１１により抽出されたテキスト情報からＵＲＬ情報を抽出する。記憶部１３は、ＵＲＬ抽出部１２により抽出されたＵＲＬ情報をラジオ放送の放送局に対応付けて記憶する。リスト生成部１４は、記憶部１３に記憶されたＵＲＬ情報に基づいて、放送受信部１０により受信されているラジオ放送に付加されたＵＲＬ情報のＵＲＬリスト情報を生成する。表示制御部１６は、放送受信部１０により受信されているラジオ放送の放送局名とこのラジオ放送に付加されたＵＲＬ情報のＵＲＬリストとを表示部３に表示する。ウェブアクセス部１５は、表示部３に表示されたＵＲＬリストのＵＲＬ情報に対する選択操作を受け付け、選択操作されたＵＲＬ情報へのアクセス処理を行う。
このように構成することによりラジオ放送から自動でＵＲＬ情報が抽出される。
また、ラジオ放送に付加されたＵＲＬ情報のＵＲＬリストと放送局名が合わせて表示されるので、ユーザは、このラジオ放送の放送局との関係を考慮してＵＲＬ情報を選択し、そのウェブページを閲覧することができる。
【００３０】
また、この実施の形態１によれば、ウェブアクセス部１５は、ＵＲＬ情報にアクセスしてアクセス先の情報（例えば、ウェブページ画面情報など）を記憶部１３に予め記憶しておき、選択操作されたＵＲＬ情報へアクセスする際に、最初に記憶部１３に予め記憶しておいたアクセス先の情報を提示する。このようにすることで、走行中の車両内のように通信状態が安定しない環境であっても、ユーザが選択したＵＲＬ情報のアクセス先の情報を的確に提示することが可能となる。
【００３１】
さらに、この実施の形態１によれば、ウェブアクセス部１５は、ウェブブラウザを用いてＵＲＬ情報にアクセスする。このようにすることにより、汎用されているウェブブラウザを用いて簡易にＵＲＬ情報のウェブページにアクセスすることが可能である。
【００３２】
実施の形態２．
図４は、この発明の実施の形態２に係る放送受信機の構成を示すブロック図である。
図４に示すラジオ受信機１Ａは、実施の形態１と同様に、車両などの移動体に搭載または持ち込まれ、アンテナ２を介してラジオ放送を受信するラジオ受信機であって、ラジオ放送に付加されたテキスト情報を表示する表示部３およびユーザの選局操作を受け付ける入力部４が接続している。また、その機能構成として、放送受信部１０、テキスト情報抽出部１１、ＵＲＬ抽出部１２、記憶部１３、リスト生成部１４、表示制御部１６、および通信部１７を備える。
【００３３】
ラジオ受信機１Ａにおける図１の構成との違いは、ウェブアクセス部１５の代わりに、通信部１７を備える点にある。すなわち、ラジオ受信機１Ａ自体は、ウェブアクセスする機能を有しておらず、外部機器１００を介してウェブアクセスが行われる。
通信部１７は、外部機器１００に通信接続して、外部機器１００を介してＵＲＬ情報にアクセスするアクセス処理部である。通信部１７と外部機器１００との通信は、例えば、ＷｉＦｉまたはＢｌｕｅｔｏｏｔｈ（登録商標）などの無線通信を用いる。
外部機器１００は、ウェブアクセスする機能を有した機器であり、例えば、携帯電話やＰＣ、スマートフォンなどが挙げられる。
【００３４】
例えば、図２に示したラジオ受信画面３Ａにおいて、カーソル３Ａ−４でＵＲＬ情報を選択した状態で“Ｃｈｅｃｋ  ＵＲＬ”ボタン３Ａ−５が押下された場合に、通信部１７は、リスト生成部１４に指示してそのＵＲＬ情報を取得して外部機器１００に送信する。
外部機器１００は、通信部１７から受信したＵＲＬ情報のウェブページにアクセスし、アクセス先の情報（ウェブページ画面情報など）を通信部１７に返信する。
通信部１７は、外部機器１００から受信したアクセス先の情報を表示制御部１６へ出力する。これにより、表示制御部１６は、通信部１７から入力したアクセス先の情報を表示部３に表示する。
【００３５】
以上のように、この実施の形態２によれば、通信部１７は、外部機器１００に通信接続して、外部機器１００を介してＵＲＬ情報にアクセスする。このように構成することで、簡単な操作で容易にＵＲＬ情報のウェブページにアクセスすることが可能である。
【００３６】
実施の形態３．
図５は、この発明の実施の形態３に係る放送受信機の構成を示すブロック図である。
図５に示すラジオ受信機１Ｂは、実施の形態１と同様に、車両などの移動体に搭載または持ち込まれ、アンテナ２を介してラジオ放送を受信するラジオ受信機であって、ラジオ放送に付加されたテキスト情報を表示する表示部３およびユーザの選局操作を受け付ける入力部４が接続している。
【００３７】
また、ラジオ受信機１Ｂは、放送受信部１０、テキスト情報抽出部１１、ＵＲＬ抽出部１２、記憶部１３、リスト生成部１４Ａ、ウェブアクセス部１５、表示制御部１６Ａ、および通信部１７を備える。なお、図５において、図１と同一の構成要素には同一の符号を付して説明を省略する。
【００３８】
リスト生成部１４Ａは、記憶部１３に放送局ごとに記憶されたＵＲＬ情報に基づいて、放送局ごとのＵＲＬ情報のＵＲＬリストを生成する。表示制御部１６Ａは、リスト生成部１４Ａにより生成された放送局名ごとのＵＲＬリストを表示部３に表示する。
【００３９】
図６は、実施の形態３における画面表示の一例を示す図であって、ラジオ受信機１Ｂによって表示部３に表示されるＵＲＬ管理画面３Ｂを示している。
ＵＲＬ管理画面３Ｂには、過去に受信された放送局名と放送受信部１０が受信している放送局名を含んだ放送局名群ａが表示される放送局情報３Ｂ−１、各放送局のラジオ放送に付加されたＵＲＬ情報のＵＲＬリスト欄３Ｂ−２、ＵＲＬ情報のアクセスを指示する“Ｃｏｎｎｅｃｔ”ボタン３Ｂ−３、および、ＵＲＬ情報の送信を指示する“Ｓｅｎｄ”ボタン３Ｂ−４が表示される。
【００４０】
放送局情報３Ｂ−１の放送局は、図６に示すように図１に示した入力部４から操作可能なカーソル３Ｂ−５でそれぞれ選択することが可能である。
ＵＲＬリスト欄３Ｂ−２には、放送局情報３Ｂ−１において、カーソル３Ｂ−５で選択されている放送局のラジオ放送に付加されたＵＲＬ情報のＵＲＬリストが表示される。
リスト生成部１４Ａは、放送局ごとに類似するＵＲＬ情報のＵＲＬ情報群を構成して、ＵＲＬを示す文字列からＵＲＬ情報群に含まれる各ＵＲＬ情報の階層関係を決定する。
例えば、ＵＲＬを示す文字列の一致具合からＵＲＬ情報の類似を判定し、文字列の内容から階層関係を決定する。
そして、リスト生成部１４Ａは、ＵＲＬリスト欄３Ｂ−２においてＵＲＬ情報が階層順に表示されるＵＲＬリストを生成する。
【００４１】
さらに、ＵＲＬリスト欄３Ｂ−２には、ウェブページタイトルｂとＵＲＬリストｃとが表示される。ウェブページタイトルｂは、ＵＲＬリストｃにおける最上位のＵＲＬ情報のアクセス先のウェブページのタイトルである。なお、ウェブページタイトルｂは、ウェブアクセス部１５が、最上位のＵＲＬ情報にアクセスして記憶部１３に予め記憶しておいたアクセス先情報である。
ＵＲＬリストｃのＵＲＬ情報は、図６に示すように、入力部４から操作可能なカーソル３Ｂ−６でそれぞれ選択することが可能である。
このようにＵＲＬリストと放送局名を合わせて表示することで、ユーザは、このラジオ放送の放送局との関係を考慮してＵＲＬ情報を選択することができる。
【００４２】
カーソル３Ｂ−６でＵＲＬ情報を選択した状態で“Ｃｏｎｎｅｃｔ”ボタン３Ｂ−３を押下することにより、そのＵＲＬ情報のウェブページにアクセスすることができる。
すなわち、ウェブアクセス部１５は、ＵＲＬリストｃの中からカーソル３Ｂ−６で選択されたＵＲＬ情報を読み出してウェブブラウザに設定し、ウェブブラウザを介してＵＲＬ情報のウェブページにアクセスする。
このように、本発明では、ユーザがＵＲＬ情報を書き留めて、ブラウザ機能を有する別の通信機器に設定する必要がなく、簡単な画面操作で容易にＵＲＬ情報のウェブページにアクセスすることが可能である。
【００４３】
また、カーソル３Ｂ−６でＵＲＬ情報を選択した状態で“Ｓｅｎｄ”ボタン３Ｂ−４を押下することにより、そのＵＲＬ情報を外部機器１００に送信することができる。
すなわち、通信部１７は、ＵＲＬリストｃの中からカーソル３Ｂ−６で選択されたＵＲＬ情報を読み出して外部機器１００に送信する。これにより、外部機器１００は、ラジオ受信機１Ｂから受信したＵＲＬ情報へアクセスすることができる。
このように、本発明では、ブラウザ機能を有する外部機器１００に容易に設定することができ、簡単な画面操作でＵＲＬ情報のウェブページにアクセスすることが可能である。
【００４４】
次に動作について説明する。
図７は、実施の形態３に係る放送受信機の動作を示すフローチャートであって、図６の画面を表示する処理の流れを示している。
テキスト情報抽出部１１が、放送受信部１０によって現在受信されているラジオ放送に付加されたテキスト情報を抽出する。
ＵＲＬ抽出部１２は、テキスト情報抽出部１１により抽出されたテキスト情報の中からＵＲＬ情報を抽出して記憶部１３に一時保存する。リスト生成部１４Ａは、新たに抽出されたＵＲＬ情報を記憶部１３から取得する（ステップＳＴ１ａ）。
【００４５】
次に、リスト生成部１４Ａは、新たに抽出されたＵＲＬ情報が記憶部１３に記憶されているＵＲＬ情報群に存在するか否かを確認する（ステップＳＴ２ａ）。新たに抽出されたＵＲＬ情報がＵＲＬ情報群に既に存在するＵＲＬ情報であった場合（ステップＳＴ２ａ；ＹＥＳ）、リスト生成部１４Ａは、新たに抽出されたＵＲＬ情報を削除し、ステップＳＴ１ａに戻って上記処理を繰り返す。
【００４６】
新たに抽出されたＵＲＬ情報がＵＲＬ情報群に既に存在するＵＲＬ情報ではない場合（ステップＳＴ２ａ；ＮＯ）、リスト生成部１４Ａは、新たに抽出されたＵＲＬ情報の放送局が放送局情報３Ｂ−１の放送局のリストに存在するか否かを確認する（ステップＳＴ３ａ）。新たに抽出されたＵＲＬ情報の放送局が放送局情報３Ｂ−１の放送局のリストに存在しない場合（ステップＳＴ３ａ；ＮＯ）、リスト生成部１４Ａは、この放送局を放送局情報３Ｂ−１の放送局のリストに追加する（ステップＳＴ４ａ）。
【００４７】
新たに抽出されたＵＲＬ情報の放送局が放送局情報３Ｂ−１の放送局のリストに存在する場合（ステップＳＴ３ａ；ＹＥＳ）、もしくは、ステップＳＴ４ａで放送局のリストに追加した場合、リスト生成部１４Ａは、新たに抽出されたＵＲＬ情報を放送局のリストに対応付ける（ステップＳＴ５ａ）。
次に、ウェブアクセス部１５は、新たに抽出されたＵＲＬ情報のウェブページにアクセス（ステップＳＴ６ａ）し、アクセス先の情報としてウェブページタイトルを取得する（ステップＳＴ７ａ）。
【００４８】
リスト生成部１４Ａは、ウェブアクセス部１５により取得されたウェブページタイトルに対応するＵＲＬリストが記憶部１３に存在するか否かを確認する（ステップＳＴ８ａ）。
ウェブアクセス部１５によって取得されたウェブページタイトルに対応するＵＲＬリストが記憶部１３に存在しない場合（ステップＳＴ８ａ；ＮＯ）、リスト生成部１４Ａは、このウェブページタイトルのＵＲＬリストｃを生成する（ステップＳＴ９ａ）。生成したＵＲＬリストｃは記憶部１３に一時保存される。
【００４９】
ウェブアクセス部１５によって取得されたウェブページタイトルに対応するＵＲＬリストが記憶部１３に存在する場合（ステップＳＴ８ａ；ＹＥＳ）、もしくは、ステップＳＴ９ａでＵＲＬリストｃを生成した場合、リスト生成部１４Ａは、新たに抽出されたＵＲＬ情報をＵＲＬリストｃに追加する（ステップＳＴ１０ａ）。
なお、ステップＳＴ９ａでＵＲＬリストｃを生成した場合は、ウェブページタイトルｂが新たに抽出されたＵＲＬ情報のウェブページタイトルであり、このＵＲＬ情報が最上位に追加される。
【００５０】
表示制御部１６Ａは、記憶部１３に保存されたＵＲＬリストｃに基づいて、ＵＲＬ管理画面データを生成して表示部３に表示する（ステップＳＴ１１ａ）。これにより、図６に示したＵＲＬ管理画面３Ｂが表示部３に表示される。
【００５１】
なお、ＵＲＬリストｃを表示部３に表示する際に、実施の形態１で示したＵＲＬリストとして表示可能なＵＲＬ数の最大値分のＵＲＬ情報を表示してもよいが、ＵＲＬリスト欄３Ｂ−２の表示スペースを考慮して、上記最大値未満の予め定められた数のＵＲＬ情報を上位のものから表示してもよい。
【００５２】
また図６に示したＵＲＬ管理画面３Ｂにおいて、カーソル３Ｂ−６でＵＲＬ情報を選択した状態で“Ｃｏｎｎｅｃｔ”ボタン３Ｂ−３が押下された場合（ＵＲＬ情報の初回選択時）に、ウェブアクセス部１５は、このＵＲＬ情報にアクセスする前に、リスト生成部１４Ａに指示して記憶部１３に保存しておいたそのＵＲＬ情報のウェブページ画面情報を取得して表示制御部１６Ａに出力する。表示制御部１６Ａは、ウェブアクセス部１５から入力したウェブページ画面情報を表示部３に表示する。このようにすることで、走行中の車両内のように通信状態が安定しない環境であっても、ユーザが選択したＵＲＬ情報のウェブページ画面を的確に提示することが可能となる。
【００５３】
以上のように、この実施の形態３によれば、リスト生成部１４Ａは、記憶部１３に放送局ごとに記憶されたＵＲＬ情報に基づいて放送局ごとのＵＲＬ情報のリストを生成し、表示制御部１６Ａは、放送局名ごとのＵＲＬ情報のリストを表示部３に表示する。
このように構成することで、ラジオ放送に付加されたＵＲＬ情報のＵＲＬリストと放送局名が合わせて表示されるので、ユーザは、このラジオ放送の放送局との関係を考慮してＵＲＬ情報を選択し、そのウェブページを閲覧することができる。
また、放送局ごとのＵＲＬリストｃが表示されるので、ＵＲＬ情報の選択範囲が広く、利便性が高い。
【００５４】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５５】
１，１Ａ，１Ｂ  ラジオ受信機、２  アンテナ、３  表示部、３Ａ  ラジオ受信画面、３Ａ−１，３Ｂ−１  放送局情報、３Ａ−２  テキスト情報表示欄、３Ａ−３  ＵＲＬリスト、３Ｂ−２  ＵＲＬリスト欄、３Ａ−４，３Ｂ−５，３Ｂ−６  カーソル、３Ａ−５  “Ｃｈｅｃｋ  ＵＲＬ”ボタン、３Ｂ−３  “Ｃｏｎｎｅｃｔ”ボタン、３Ｂ−４  “Ｓｅｎｄ”ボタン、４  入力部、１０  放送受信部、１１  テキスト情報抽出部、１２  ＵＲＬ抽出部、１３  記憶部、１４，１４Ａ  リスト生成部、１５  ウェブアクセス部、１６，１６Ａ  表示制御部、１７  通信部、１００  外部機器。
【図１】
2015226096.tif 000003
【図２】
2015226096.tif 000004
【図３】
2015226096.tif 000005
【図４】
2015226096.tif 000006
【図５】
2015226096.tif 000007
【図６】
2015226096.tif 000008
【図７】
2015226096.tif 000009